(57)【要約】【課題】皿体の外周縁部上を周方向に移動自由にして所望位置で位置固定され得るフィルム展張具およびフィルム展張方法を提供する。【解決手段】フィルム展張具１は、上面が開口した皿体Ｔの外周縁部ＴＡを掴持する掴持部２と、掴持部２に立設された支持板部３と、支持板部３から上方に延在していて皿体Ｔの上面開口を被ったラップフィルムＲの下面ＲＡを支えて当該ラップフィルムＲの下方に空間を形成させる受け板部４と、を備えて成るものであって、掴持部２が、皿体Ｔの外周縁部ＴＡを周方向摺動自在に掴持する構成にされている。掴持部２は、上下離間した２つの挟み板部材１１，１２と、２つの挟み板部材１１，１２の先端に互いに対向して形成された１対の掴持突起１１Ａ，１２Ａと、から構成されている。【選択図】図３
2019084205.tif 000002
【特許請求の範囲】
【請求項１】
上面が開口した皿体の外周縁部を掴持する掴持部と、前記掴持部に立設された支持板部と、前記支持板部から上方に延在していて前記皿体の上面開口を被ったラップフィルムの下面を支えて当該ラップフィルムの下方に空間を形成させる受け板部と、を備えて成るフィルム展張具であって、
前記掴持部が、前記皿体の外周縁部を周方向摺動自在に掴持する構成にされていることを特徴とするフィルム展張具。
【請求項２】
前記掴持部が、前記支持板部の下端部から後方に延びて形成されるとともに前記皿体の外周縁部の厚さよりも広い隙間間隔を有して上下離間した２つの挟み板部材と、前記２つの挟み板部材の先端に互いに対向して形成されるとともに前記皿体の外周縁部を周方向摺動自在に掴持する１対の掴持突起と、から構成されていることを特徴とする請求項１に記載のフィルム展張具。
【請求項３】
前記支持板部に前記掴持部から前記受け板部に向かって延びる補強用リブが設けられ、前記受け板部に顔デザインが表されるとともに、前記顔デザインの口相当部分が表裏貫通して形成されることにより前記口相当部分の左右両側の受け板部に可撓部分が形成されることを特徴とする請求項１または請求項２に記載のフィルム展張具。
【請求項４】
請求項１から請求項３までのいずれか一項に記載のフィルム展張具を２以上用い、前記２以上のフィルム展張具の掴持部に食品収容用の皿体の外周縁部を掴持させ、前記掴持させた掴持部を前記皿体の外周縁部の周方向に摺動させて前記フィルム展張具を前記外周縁部の所望位置で位置固定し、前記フィルム展張具の受け板部の上面をラップフィルムで覆うことにより、前記２以上フィルム展張具が、前記ラップフィルムの下面を前記皿体上の食品から離した状態で支えることを特徴とするフィルム展張方法。
【発明の詳細な説明】
【技術分野】
【０００１】
本発明は、皿体の上面開口を蓋ったラップフィルムを支えるために皿体の外周縁部に取り付けられるフィルム展張具、およびそのフィルム展張具を用いたフィルム展張方法に関するものである。
【背景技術】
【０００２】
従来、この種のフィルム展張具としては、下記の特許文献１に記載されたものが知られている。特許文献１記載のフィルム展張具は、上面が開口した皿体の外周縁部を掴持する掴持部と、掴持部に立設された支持板部と、支持板部から上方に延在していてラップフィルムの下面を支える受け板部と、から構成されたものである。このフィルム展張具では、受け板部が、皿体の上面開口を被ったラップフィルムの下面を支えて、ラップフィルムの下方に空間を形成させ刺身などの生鮮食品がラップフィルムの下面に接しないようにしている。この場合、皿体は発泡ポリスチロール製の一体成型品が使用され、皿体の外周縁部は皿底面に対して６０度〜９０度程度に立って形成されている。
【先行技術文献】
【特許文献】
【０００３】
【特許文献１】実開平７−３１６５８号公報
【発明の概要】
【発明が解決しようとする課題】
【０００４】
しかしながら、前記した従来のフィルム展張具の掴持部は掴持力が強すぎるうえ、皿体自身も脆弱な発泡ポリスチロール製であるので、皿体に掴持させた状態でフィルム展張具を皿周方向に無理やり移動させようとすると、掴持部が皿体の外周縁部に噛み込んで皿体が傷付いたり破損したりするおそれがあった。
そのために、フィルム展張具を皿周方向に移動させることができないという問題、特に複数のフィルム展張具を装着したときの所望の配置バリエーションを作り出せないという問題があった。
【０００５】
本発明は、上記した従来の問題点に鑑みてなされたものであって、皿体の外周縁部上を周方向に移動自由にして所望位置で位置固定され得るフィルム展張具およびフィルム展張方法の提供を目的とする。
【課題を解決するための手段】
【０００６】
上記目的を達成するために、本発明に係るフィルム展張具は、上面が開口した皿体の外周縁部を掴持する掴持部と、掴持部に立設された支持板部と、支持板部から上方に延在していて皿体の上面開口を被ったラップフィルムの下面を支えて当該ラップフィルムの下方に空間を形成させる受け板部と、を備えて成るフィルム展張具であって、掴持部が、皿体の外周縁部を周方向摺動自在に掴持する構成にされていることを特徴とする構成にしてある。
【０００７】
また、前記構成において、掴持部が、支持板部の下端部から後方に延びて形成されるとともに皿体の外周縁部の厚さよりも広い隙間間隔を有して上下離間した２つの挟み板部材と、２つの挟み板部材の先端に互いに対向して形成されるとともに皿体の外周縁部を周方向摺動自在に掴持する１対の掴持突起と、から構成されていることを特徴とするものである。
【０００８】
そして、前記した各構成において、掴持部から受け板部に向かって延びる補強用リブが支持板部に設けられ、受け板部に顔デザインが表されるとともに、顔デザインの口相当部分が表裏貫通して形成されることにより口相当部分の左右両側の受け板部に可撓部分が形成されることを特徴とするものである。
【０００９】
更に、本発明に係るフィルム展張方法は、請求項１から請求項３までのいずれか一項に記載のフィルム展張具を２以上用い、２以上のフィルム展張具の掴持部に食品収容用の皿体の外周縁部を掴持させ、掴持させた掴持部を皿体の外周縁部の周方向に摺動させてフィルム展張具を外周縁部の所望位置に位置決めし、フィルム展張具の受け板部の上面をラップフィルムで覆うことにより、２以上フィルム展張具が、ラップフィルムの下面を皿体上の食品から離した状態で支えることを特徴とするものである。
【発明の効果】
【００１０】
本発明に係るフィルム展張具によれば、掴持部が皿体の外周縁部を周方向摺動自在に掴持する構成にされているので、皿体の外周縁部上を周方向に自由に移動させることができ、外周縁部の所望位置で掴持部を掴持させてフィルム展張具を位置固定できる。
【００１１】
また、掴持部が、上下離間した２つの挟み板部材と、２つの挟み板部材の先端の掴持突起とから構成されているものでは、２つの挟み板部材が皿体の外周縁部の厚さよりも広い隙間間隔を有しており、１対の掴持突起が皿体の外周縁部をあたかも線接触で比較的軽く掴持するので、皿体を傷つけることなく外周縁部の周方向にフィルム展張具を摺動させることができ、所望位置に位置固定することができる。
【００１２】
そして、補強用リブが支持板部に設けられるとともに、表示された顔デザインにおける口相当部分の左右両側の受け板部に可撓部分が形成されているものでは、その可撓部分よりも先端側の受け板部を、支持板部に対して弾性的に曲げやすくでき、ラップフィルムをより弾性的に展張させて破りにくくすることができる。加えて、顔デザインの存在により、利用者に温かみや潤いをもたらすことができる。
【００１３】
更に、本発明に係るフィルム展張方法によれば、２以上のフィルム展張具の掴持部に皿体の外周縁部を掴持させ、掴持させた掴持部を皿体の外周縁部の周方向に摺動させてフィルム展張具を外周縁部の所望位置に位置固定し、フィルム展張具の受け板部の上面をラップフィルムで覆うことにより、２以上のフィルム展張具が、ラップフィルムの下面を皿体上の食品から離した状態で支えるから、フィルム展張具による覆い部分を自由に決めることができる。また、２以上のフィルム展張具で広い部分を支えて食品の上方に広い空間を開けて覆うことができる。
【図面の簡単な説明】
【００１４】
【図１】本発明の一実施形態に係るフィルム展張具を示す斜視図である。
【図２】前記フィルム展張具を示す図であって、（ａ）は正面図、（ｂ）は背面図である。
【図３】図２（ｂ）におけるＡ−Ａ線矢視断面図である。
【図４】２つのフィルム展張具に皿体を掴持させてラップフィルムを支える態様を示す外観図である。
【図５】図４に対応した平面図である。
【図６】図５におけるＢ−Ｂ線矢視断面図である。
【図７】フィルム展張具に皿体を掴持させた態様を示す図であって、（ａ）は１つのフィルム展張具を用いた場合の平面図、（ｂ）は２つのフィルム展張具を用いた場合の平面図、（ｃ）は３つのフィルム展張具を用いた場合の平面図である。
【発明を実施するための形態】
【００１５】
以下、本発明の実施形態を図面に基づいて説明する。尚、以下に述べる実施形態は本発明を具体化した一例に過ぎず、本発明の技術的範囲を限定するものでない。ここに、図１は本発明の一実施形態に係るフィルム展張具を示す斜視図、図２は前記フィルム展張具を示す図であって、（ａ）は正面図、（ｂ）は背面図、図３は図２（ｂ）におけるＡ−Ａ線矢視断面図である。
各図において、この実施形態に係るフィルム展張具１は、皿体Ｔの外周縁部ＴＡを掴持する掴持部２と、掴持部２から上向きに立てて形成された支持板部３と、支持板部３から更に上向きに延在して形成された受け板部４と、から構成されている。前記した受け板部４は、皿体Ｔの上面開口ＴＢを覆ったラップフィルムＲの下面ＲＡを支えてフィルム下方に空間Ｑ（図６参照）を形成させるようになっている。このフィルム展張具１の全体は、例えば高さが１６ｃｍであり、例えば耐熱温度１４０℃および耐冷温度−２０℃のポリプロピレン製であり一体成型されている。また、フィルム展張具１において、支持板部３および受け板部４は、全般的に例えば厚さ３ｍｍの板状に形成されており、補強用リブ５は支持板部３の背面から例えば１．５ｍｍの厚さで立設されている。
【００１６】
前記の掴持部２は、支持板部３の下端部３Ａから後方に延びて形成された上下２つの挟み板部材１１，１２と、これら２つの挟み板部材１１，１２の先端に互いに対向して形成された上下の掴持突起１１Ａ，１２Ａと、から構成されている。前記２つの挟み板部材１１，１２は上下離間して配置されており、皿体Ｔの外周縁部ＴＡの厚さＵ（この例では例えば３ｍｍ）よりも広い隙間間隔Ｓの隙間１３（この例では例えば４ｍｍ）を有している。また、掴持突起１１Ａ，１２Ａの間には開口隙間１４が常時形成されており、これによって掴持突起１１Ａ，１２Ａの間から皿体Ｔの外周縁部ＴＡを挿し入れし易くしている。一方で、開口隙間１４の存在により、掴持突起１１Ａ，１２Ａが外周縁部ＴＡを軽い力で掴持することができ、掴持部２が皿体Ｔの外周縁部ＴＡ上を皿周方向（矢印Ｐ方向）によりいっそう自由に摺動できるようにしている。そして、開口隙間１４から皿体Ｔの外周縁部ＴＡが挿入される際には、掴持突起１１Ａ，１２Ａが、互いに離間する方向（矢印（−）Ｇおよび矢印Ｇ方向（図３参照））に押し広げられる。通常、皿体Ｔの外周縁部ＴＡは、図３中の円Ｃ内に拡大して示すように、掴持突起１１Ａ，１２Ａ間の隙間１３の最奥部１５近傍まで先端が差し込まれて掴持される。
【００１７】
上記の支持板部３は、後方にわずかに湾曲した例えば厚さ３ｍｍの板状体である。そして、支持板部３の背面には、掴持部２から受け板部４に向かって上方向に延びる補強用リブ５が突設されている。この補強用リブ５の支持板部３背面からの高さは例えば１．５ｍｍ程度である。
【００１８】
また、前記した受け板部４も、後方にわずかに湾曲した例えば厚さ３ｍｍの板状体である。この受け板部４には、笑顔キャラクターの顔デザイン６が表されている。この顔デザイン６は、２つの目相当部分６Ｂ，６Ｂと、半円状に湾曲した口相当部分６Ａ、およびこれらの周囲部分とから構成されており、目相当部分６Ｂ，６Ｂおよび口相当部分６Ａは表裏貫通して形成されている。また、この笑顔キャラクターの頭相当部分は、例えばおかあさんの手の形などを表した手指相当部分８として疑似化されており、温かみのあるデザインとなっている。
【００１９】
前記のように表裏貫通した口相当部分６Ｂの存在により、口相当部分６Ｂにおける両口角の左右両側の受け板部４は両口角から左右外縁までの距離が短い部分になっているので、曲がり変形しやすい可撓部分７，７となる。これら可撓部分７，７の存在により、受け板部４の手指相当部分８がラップフィルムＲの下面ＲＡを支えたときのラップフィルムＲの弾性引張り力により、可撓部分７，７が弾性変形し、これにより補強用リブ５を有する支持板部３に対して、先端側の受け板部４が下向き（矢印Ｈ方向（図３参照））に撓むのである。
【００２０】
ここで用いる皿体Ｔは例えば磁器であるが、皿底ＴＣと外周縁部ＴＡとの成す角度θＡ（図６参照）はこの例では３２度である。一方、掴持部２の挟み板部材１２の上面と支持板部３の背面との成す角度θはこの例では８４度に設定されている。但し、一般的な皿体Ｔでは、皿底ＴＣと外周縁部ＴＡとの成す角度θＡ（図６参照）が例えば２５度〜４０度であるので、フィルム展張具１を用いる場合、フィルム展張具１の挟み板部材１２の上面と支持板部３の背面との成す角度θは、例えば６５度〜９０度に設定することが望ましい。前記した角度範囲内に角度θが含まれていると、フィルム展張具１を皿体Ｔの外周縁部ＴＡに装着したときに、水平面（皿底ＴＣ面）に対する受け板部４の傾きが、ほぼ４０度ないし５０度となるので好ましい。因みに、角度θが６５度を下回ると、装着されたフィルム展張具１の受け板部４が下がり過ぎて受け板部４やラップフィルムＲが食品Ｆに接したりするので好ましくない。他方、角度θが９０度を上回ると、受け板部４が立ち上がり過ぎるので、支えたラップフィルムＲ下方の空間Ｑが広くなり過ぎて全体の見栄えが悪くなる。
【００２１】
上記のように構成されたフィルム展張具１を用いて、食品Ｆを収容した皿体Ｔの上方にラップフィルムＲを展張する態様につき、図１〜図３のみならず図４〜図６も参照しつつ説明する。
この例では、皿体Ｔの皿底ＴＣ上に食品Ｆ（ここでは例えばオムライスやケーキなど）が載置されている。
そこで、２つのフィルム展張具１，１を備えた展張具セット１６Ａが用いられる。まず、２つのフィルム展張具１，１の掴持部２，２に皿体Ｔの外周縁部ＴＡをそれぞれ掴持させる。
続いて、掴持させたフィルム展張具１の掴持部２を手で操作して、当該掴持部２を皿体Ｔの外周縁部ＴＡの周方向（矢印Ｐ方向）に摺動させる。このとき、掴持突起１１Ａ，１２Ａが外周縁部ＴＡを軽力で掴持するとともに、外周縁部ＴＡの先端は掴持部２の隙間１３内で遊動状態にあるので、掴持部２を簡単かつ支障なく外周縁部ＴＡの周方向に移動させることができる。そうして、所望位置（この例では外周縁部ＴＡの対角位置）で掴持部２，２を止めると、各掴持部２の掴持突起１１Ａ，１２Ａがその位置の外周縁部ＴＡをそれぞれ軽力で掴持し、フィルム展張具１，１が位置固定される。
【００２２】
その状態で、皿体Ｔの上面開口ＴＢおよび受け板部４，４の上面がラップフィルムＲで覆われるが、２つのフィルム展張具１，１はラップフィルムＲの下面ＲＡを支えている。そして、覆ったラップフィルムＲの下方には空間Ｑが形成されるので、皿体Ｔ上の食品ＦはラップフィルムＲから離された状態になっている。この場合、各フィルム展張具１は、展張されたラップフィルムＲにより皿径方向内向きに引き寄せられるので、外周縁部ＴＡの先端が掴持部２の隙間１３内の挟み板部材１１上に当接して支持されるから（図３参照）、各フィルム展張具１は安定な姿勢を保てるのである。
【００２３】
上記したように、この実施形態のフィルム展張具１によれば、掴持部２における２つの挟み板部材１１，１２が皿体Ｔの外周縁部ＴＡの厚さＵよりも広い隙間間隔Ｓを有しており、１対の掴持突起１１Ａ，１２Ａが皿体Ｔの外周縁部ＴＡをあたかも線接触で比較的軽い力で掴持するので、外周縁部ＴＡの周方向にフィルム展張具１を自由に摺動させることができる。これにより、外周縁部ＴＡの所望位置で掴持部２を掴持させてフィルム展張具１を位置固定することができる。
【００２４】
そして、受け板部４には可撓部分７，７が形成されているので、それらの可撓部分７，７よりも先端側の受け板部４を、支持板部３に対して弾性的に曲げやすくすることができる。その結果、ラップフィルムＲを破りにくくさせるし、ラップフィルムＲをより弾性的に展張させることも可能になる。一方で、顔デザイン６の存在により、利用者に温かみや潤いをもたらし得る。
【００２５】
更に、本実施形態方法によれば、２つのフィルム展張具１，１の掴持部２，２、に皿体Ｔの外周縁部ＴＡを掴持させ、掴持させた掴持部２，２を皿体Ｔの外周縁部ＴＡの周方向に摺動させてフィルム展張具１，１を外周縁部ＴＡの所望位置に位置固定し、フィルム展張具１，１の受け板部４，４の上面をラップフィルムＲで覆うことができる。これによって、２つのフィルム展張具１，１に、ラップフィルムＲの下面ＲＡを皿体Ｔ上の食品Ｆから離した状態で支えさせることができる。その結果、フィルム展張具１，１による覆い部分を自由に決め得る。また、２つのフィルム展張具１，１で広い部分を支えて食品Ｆの上方に広い空間Ｑを開けて覆うことができる。
【００２６】
尚、上記の実施形態では、２つのフィルム展張具１，１を備える展張具セット１６Ａを用いて、皿体Ｔの外周縁部ＴＡの対角線上に配置した例を示したが、本発明はそれに限定されるものでない。例えば、図７（ａ）に示すように、１つのフィルム展張具１を用いてラップフィルムＲを支え得ることは言うまでもない。
あるいは、既述のように２つのフィルム展張具１，１を用いる場合でも、図７（ｂ）に示すように、展張具セット１６Ａのフィルム展張具１，１を皿体Ｔの外周縁部ＴＡ上で摺動させて互いに近接させた状態にし、この状態でラップフィルムＲで覆うと、前方が大きくひらけるので皿体Ｔ上の食品Ｆを見栄え良く見せることができる。
更には、図７（ｃ）に示すように、３つのフィルム展張具１，１，１を備える展張具セット１６Ｂを用いてラップフィルムＲを支えることも可能である。この場合も、いずれかのフィルム展張具１を外周縁部ＴＡ上で矢印Ｐ方向に摺動させることができ、所望の位置アレンジを行なうことができる。
【００２７】
他方で、上記の実施形態ではフィルム展張具を磁器製の皿体に用いた例を示したが、本発明のフィルム展張具は、例えば発泡ポリスチロール製、他の合成樹脂製あるいは金属製の皿体についても好適に使用され得る。その際に、発泡ポリスチロール製などの脆弱な皿体に用いた場合でも、掴持部の摺動時に皿体を傷つけたりしない。
【００２８】
このように、本発明は、上記した実施形態に限定されるものではなく、本発明の分野における通常の知識を有する者であれば想到し得る、各種変形、修正を含む、本発明の要旨を逸脱しない範囲の設計変更があっても、本発明に含まれることは勿論である。特に、各実施形態で示した具体的な数値、形状および材質はあくまでも例の一つとして既述したものであって、これらが本発明を限定することはない。
【符号の説明】
【００２９】
１    フィルム展張具
２    掴持部
３    支持板部
３Ａ  下端部
４    受け板部
５    補強用リブ
６    顔デザイン
６Ａ  口相当部分
７    可撓部分
１１，１２  挟み板部材
１１Ａ，１２Ａ  掴持突起
１３  隙間
Ｆ    食品
Ｐ    矢印
Ｑ    空間
Ｒ    ラップフィルム
ＲＡ  下面
Ｓ    隙間間隔
Ｔ    皿体
ＴＡ  外周縁部
ＴＢ  上面開口
Ｕ    厚さ
【図１】
2019084205.tif 000003
【図２】
2019084205.tif 000004
【図３】
2019084205.tif 000005
【図４】
2019084205.tif 000006
【図５】
2019084205.tif 000007
【図６】
2019084205.tif 000008
【図７】
2019084205.tif 000009